(57)【特許請求の範囲】
【請求項１】
維持電極、走査電極及びアドレス電極が接続された表示セルを有し、前記電極に電圧を印加する駆動端子を備えるプラズマディスプレイパネルを駆動する駆動装置であって、
前記駆動端子を介してパルス電圧を印加し、前記表示セルの放電発光を起こして該発光を維持する駆動回路と、
該駆動回路の電源電圧を供給する電源と、
表示セルの駆動損失となる無効電力に関わる、プラズマディスプレイパネルの蓄積電荷を回収及び再利用する回収回路とを有し、
該回収回路は、
回収した電荷を蓄積する回収コンデンサと、
該回収コンデンサに一端子が接続された第１のスイッチと該第１のスイッチの他端子に一端子が接続された第２のスイッチとを有する双方向性スイッチ回路と、
該双方向性スイッチ回路の前記第２のスイッチの他端子と前記プラズマディスプレイパネルの駆動端子との間に接続されたインダクタとを含み、
前記第１のスイッチは、前記プラズマディスプレイパネルから前記回収コンデンサへの電荷の移動を可能とする寄生ダイオードを含み、
前記第２のスイッチは、前記回収コンデンサから前記プラズマディスプレイパネルへの電荷の移動を可能とする寄生ダイオードを含み、
前記双方向性スイッチ回路及び前記インダクタを介して前記プラズマディスプレイパネルの蓄積電荷が充放電され、
前記双方向性スイッチ回路において第１及び第２のスイッチを同時にオンするとともに、無効電力の回収時には、前記第２のスイッチより前記第１のスイッチを先にオフし、無効電力の再利用のための動作時には、前記第１のスイッチより前記第２のスイッチを先にオフする
ことを特徴とする駆動装置。
【発明の詳細な説明】
【技術分野】
【０００１】
本発明はＡＣ型プラズマディスプレイパネルの駆動回路に関する。
【背景技術】
【０００２】
プラズマディスプレイパネルを用いた表示装置は薄型・大画面等の利点により汎用化が進んでいる。中でも放電維持発光を交流パルスで行うＡＣ型プラズマディスプレイパネルは高輝度であること、パネル構造が簡素で量産化と画素の精細化に適することなどから、広範囲に使用されている。
【０００３】
従来、ＡＣ型プラズマディスプレイパネルの駆動装置として、電源に接続された高圧側スイッチと低圧側スイッチの直列回路からなるスイッチ回路と、スイッチとインダクタとからなる回収回路とを組み合わせた駆動装置が用いられてきた（例えば、特許文献１、２参照）。ここで、回収回路は、容量性負荷であるプラズマディスプレイパネルに交流パルスを加える際に生ずる無効電力を回収、再利用するための回路である。そのような駆動装置は、回収回路の働きにより、少ない損失でプラズマディスプレイパネルを駆動することができる。
【０００４】
以下、図面を参照しながら、上述した従来の駆動装置について説明する。図４（ａ）は従来のＡＣ型プラズマディスプレイパネルの駆動装置に用いられる回路のうち、維持放電と回収に関る部分の回路図である。ここで、プラズマディスプレイパネルは、Ｘ、Ｙ方向にマトリクス状に配置される複数の表示セルを含み、各セルの容量を１つにまとめてプラズマディスプレイパネル負荷５０としている。
【０００５】
図４（ａ）において、駆動装置は、高圧側スイッチ１１と低圧側スイッチ１２からなるＸ側主スイッチ回路１０と、高圧側スイッチ２１と低圧側スイッチ２２からなるＹ側主スイッチ回路２０と、Ｘ側及びＹ側回収スイッチ回路７０、８０を含む。
【０００６】
Ｘ側主スイッチ回路１０とＹ側主スイッチ回路２０が相補うように毎秒数百キロサイクルのスイッチングを繰り返して、電源６０を電力供給源とする交流パルス電圧を、プラズマディスプレイパネル負荷５０に加えることにより放電維持発光を行う。
【０００７】
このとき容量性負荷であるプラズマディスプレイパネル負荷５０には無効電力が生じるため、無効電力回収手段として回収スイッチ回路７０、８０が動作する。すなわち、Ｘ側主スイッチ回路１０のスイッチング動作に先んじてＸ側回収スイッチ回路７０が、またＹ側主スイッチ回路２０のスイッチング動作に先んじてＹ側回収スイッチ回路８０がスイッチング動作を行い、無効電力の回収、再利用を行う。
【０００８】
プラズマディスプレイパネル負荷５０のＸ側駆動端子Ａの電圧Ｖａを、電位０に保持されている状態から、電源電圧に等しいＶｓまで立ち上げるスイッチング動作は、Ｘ側主スイッチ回路１０の低圧側スイッチ１２をオフし、高圧側スイッチ１１をオンすることのみで可能である。しかし、この場合、プラズマディスプレイパネル負荷５０のＸ側駆動端子電圧ＶａがＶｓに達しない状態でＸ側主スイッチ回路１０の高圧側スイッチ１１をオンすると、プラズマディスプレイパネル負荷５０の容量に蓄積されていた電荷がＸ側主スイッチ回路１０の高圧側スイッチ１１により短絡されて消費され無効電力となる。その結果として、回路における電力損失が増大し、プラズマディスプレイパネル５０の駆動効率が低下する。
【０００９】
この課題を解決するため従来の駆動装置においては、Ｘ側主スイッチ回路１０の高圧側スイッチ１１のオンに先んじて回収スイッチ回路７０の高圧側スイッチ７１をオンしている。これにより、電位０にあるプラズマディスプレイパネル負荷５０のＸ側駆動端子Ａを、Ｘ側回収インダクタ７３を介してＸ側回収コンデンサ７４に接続する。Ｘ側回収コンデンサ７４の電圧はＶｓ／２に保持されており、かつ、その容量は約１〜１００μＦとプラズマディスプレイパネル負荷５０の容量０．０１〜１μＦより充分に大きく設定されていることから、Ｘ側駆動端子Ａを、Ｘ側回収インダクタ７３を介してＸ側回収コンデンサ７４に接続してもＸ側回収コンデンサ７４の電圧はほとんど変動しない。
【００１０】
以上の構成および動作によれば、プラズマディスプレイパネル負荷５０のＸ側駆動端子Ａの電圧Ｖａは、Ｖｓ／２を共振動作の電圧源とするＬＣ共振動作により、Ｖｓまで立ち上げられる。
【００１１】
上記の動作によりプラズマディスプレイパネル負荷５０に交流パルスを加える際に生ずる無効電力の回収がなされ、回収された電力は、プラズマディスプレイパネル負荷５０のＸ側駆動端子ＡをＶｓから０の電位に立ち下げるスイッチング動作において再利用されるため、原理的に損失は生じない。Ｙ側回路においても同様の動作により無効電力の回収再利用がなされる。
【００１２】
また、プラズマディスプレイパネルの低電力装置の別の構成として特許文献２に記載のものがある。特許文献２は、インダクタンスに直列に双方向性スイッチを接続した構成を開示している。図４（ｂ）に特許文献２記載の回路の回路構成を示す。特許文献２では、ＮチャネルＭＯＳＦＥＴ（ＭＮ３、ＭＮ４）からなる双方向性スイッチをインダクタＬ１、コンデンサＣ１の間に直列に挿入している。無効電力は、プラズマディスプレイパネルの負荷容量ＣLから双方向性スイッチを介してコンデンサＣ１に回収される。このような構成により、図４（ａ）の構成におけるスイッチング素子７１、７２に直列に挿入されるダイオード７５、７６が不要となる。
【特許文献１】特開昭６３−１０１８９７号公報
【特許文献２】特許第２７７０６５７号公報
【発明の開示】
【発明が解決しようとする課題】
【００１３】
図４（ａ）に示す上述の駆動装置においては、回収電流経路を電流方向別に２系統設けていたため回路が複雑化していた。回路の複雑化は信頼性の低下、コスト増、実装の複雑化につながる大きな問題である。また、スイッチに直列におかれたダイオード、例えばスイッチ７１に直列におかれたダイオード７５などの順方向電流下での降下電圧が大きく、降下電圧と回収電流との積でなる電力損失が増大する。その結果、回収動作にともなう回収電力に占める再利用される電力の比率、いわゆる回収効率が低下し、駆動装置の動作効率が低下する。
【００１４】
図４（ｂ）に示す特許文献２記載の回路では、ＮチャネルＭＯＳＦＥＴ（ＭＮ３、ＭＮ４）からなる双方向性スイッチを設けたことにより、電流経路においてダイオードを排除し、これにより、ダイオードの電圧降下による効率低下を低減している。しかし、特許文献２では、双方向性スイッチを構成するＮチャネルＭＯＳＦＥＴ（ＭＮ３、ＭＮ４）を同じ制御信号を用いて同様に制御（同時にオン・オフ）している。素子のばらつきにより、両ＮチャネルＭＯＳＦＥＴ（ＭＮ３、ＭＮ４）のオフ・タイミングにずれが生じる場合があり、このような場合、図４（ｂ）の構成では、精度よくオン・オフ制御が行えないという問題がある。例えば、以下の問題がある。
【００１５】
プラズマディスプレイパネル負荷容量ＣLからコンデンサＣ１へ電力を回収する動作においては、通常、負荷容量ＣLからコンデンサＣ１へ電流が流れる。時間の経過とともに負荷容量ＣＬとコンデンサＣ１間の電圧関係が逆転すると、コンデンサＣ１から負荷容量ＣＬへ電流が逆流してしまうことになる。そこで、適当なタイミングで双方向性スイッチをオフする必要があるが、ＮチャネルＭＯＳＦＥＴ（ＭＮ３、ＭＮ４）のオフ・タイミングにばらつきがあると、所望のタイミングでオフできず、オフするまでの期間、還流電流が流れてしまい、これにより導通損失が発生し、効率を低下させる。
【００１６】
本発明の目的は、上述課題に鑑み、回収スイッチ回路を簡素化し、さらに制御方法の工夫により回収スイッチ回路における損失を低減して高効率に動作するプラズマディスプレイパネルの駆動装置を提供することにある。
【課題を解決するための手段】
【００１７】
本発明に係る駆動装置は、維持電極、走査電極及びアドレス電極が接続された表示セルを有し、電極に電圧を印加する駆動端子を備えるプラズマディスプレイパネルを駆動する駆動装置である。その駆動装置は、駆動端子を介してパルス電圧を印加し、表示セルの放電発光を起こして該発光を維持する駆動回路と、駆動回路の電源電圧を供給する電源と、表示セルの駆動損失となる無効電力に関わる、プラズマディスプレイパネルの蓄積電荷を回収及び再利用する回収回路とを有する。さらに、回収回路は、回収した電荷を蓄積する回収コンデンサと、回収コンデンサに一端子が接続された第１のスイッチと該第１のスイッチの他端子に一端子が接続された第２のスイッチとを有する双方向性スイッチ回路と、双方向性スイッチ回路の前記第２のスイッチの他端子と前記プラズマディスプレイパネルの駆動端子との間に接続された前記インダクタとを含む。双方向性スイッチ回路及びインダクタを介してプラズマディスプレイパネルの蓄積電荷が充放電される。双方向性スイッチ回路の第１及び第２のスイッチはそれぞれ独立して駆動される。
【００１８】
駆動回路は、プラズマディスプレイパネルの放電発光を維持するために、維持電極と走査電極間に交流パルス電圧を印加してもよい。
【００１９】
また、双方向性スイッチ回路における第１のスイッチまたは第２のスイッチの少なくともいずれかは電界効果トランジスタであるのが好ましい。
【００２０】
双方向性スイッチ回路において第１及び第２のスイッチを同時にオンするとともに、無効電力の回収時には、第２のスイッチより第１のスイッチを先にオフし、無効電力の再利用のための動作時には、第１のスイッチより第２のスイッチを先にオフする。
【００２１】
または、双方向性スイッチ回路の第１及び第２のスイッチは、一の回収動作（または再利用動作）が終了後、少なくとも次の再利用動作（または回収動作）の開始までの間、双方向性スイッチ回路における第１及び第２のスイッチのうち寄生ダイオードが逆バイアスされる一方のスイッチをオフし、寄生ダイオードが逆バイアスされない他方のスイッチをオンしたままにするように、それぞれ独立して駆動される。
【発明の効果】
【００２２】
本発明によれば、従来用いられていたダイオードが不要となり、回収回路の構成を簡素化でき、信頼性向上、コスト低減、実装の簡素化が実現できる。さらに制御方法の工夫により回収スイッチ回路における損失を低減できる。結果として、高効率で動作するプラズマディスプレイ装置を高品質で実現できる。
【発明を実施するための最良の形態】
【００２３】
以下、図面を参照しながら本発明に係るプラズマディスプレイパネルの駆動装置の実施形態について説明する。
【００２４】
（実施の形態１）
図１Ａに、本発明に係るプラズマディスプレイパネルの駆動装置の回路図を示す。図１Ａでは、プラズマディスプレイパネルの駆動装置の回路のうち、特に、維持放電動作と回収動作に係る部分の回路の構成を示している。なお、プラズマディスプレイパネルは、Ｘ、Ｙ方向にマトリクス状に配置される複数の表示セルを含み、図１Ａにおいて各セルの容量を１つにまとめてプラズマディスプレイパネル負荷５０として示している。
【００２５】
図１Ｂはプラズマディスプレイパネルの１画素のセルの断面構造を示す図である。セルにおいて、維持電極３、走査電極５及びアドレス電極７が設けられている。維持電極３、走査電極５及びアドレス電極７には、維持電極端子３ａ、走査電極端子５ａ及びアドレス電極端子７ａがそれぞれ接続されている。駆動装置は、端子３ａ、５ａ、７ａを介して、これらの電極のうちの２つの電極間に電圧を印加することにより放電を生じさせ、蛍光体９を発光させる。本実施形態の駆動装置は特に維持放電時にプラズマディスプレイパネル負荷５０に印加されるパルス電圧を供給するものである。維持放電時には維持電極３と走査電極５間に交流パルス電圧が印加される。プラズマディスプレイパネル負荷５０の各電極３、５、７には、プラズマディスプレイパネル負荷５０の駆動端子Ａ、Ｂ及び端子３ａ、５ａ、７ａを介して交流パルス電圧が供給される。
【００２６】
図１Ａにおいて、駆動装置は、電源６０からプラズマディスプレイパネル負荷５０に対して駆動電圧を供給する駆動回路として、Ｘ側主スイッチ回路１０とＹ側主スイッチ回路２０を備える。
【００２７】
さらに、駆動装置は、無効電力の回収回路として、Ｘ側回収スイッチ回路３０及び回収コンデンサ３４、並びにＹ側回収スイッチ回路４０及び回収コンデンサ４４、及び従来のＸ側回収インダクタ７３、Ｙ側回収インダクタ８３に代るものとしてＸ側部分飽和インダクタ３７、Ｙ側部分飽和インダクタ４７を備える。
【００２８】
さらに、駆動装置は、Ｘ側主スイッチ回路１０及びＹ側主スイッチ回路２０を駆動する主スイッチ駆動部１１０と、Ｘ側回収スイッチ回路３０及びＹ側回収スイッチ回路４０を駆動する回収スイッチ駆動部１３０とを備える。
【００２９】
Ｘ側主スイッチ回路１０は、電源６０とグランド間に直列接続された高圧側スイッチ１１と低圧側スイッチ１２を含む。Ｙ側主スイッチ回路２０は、電源６０とグランド間に直列接続された高圧側スイッチ２１と低圧側スイッチ２２を含む。Ｘ側主スイッチ回路１０における高圧側スイッチ１１と低圧側スイッチ１２の接続点は、駆動端子Ａを介してプラズマディスプレイパネル負荷５０に接続される。また、Ｙ側主スイッチ回路２０における高圧側スイッチ２１と低圧側スイッチ２２の接続点は、駆動端子Ｂを介してプラズマディスプレイパネル負荷５０に接続される。
【００３０】
Ｘ側回収スイッチ回路３０は双方向性スイッチとして機能し、Ｘ側部分飽和インダクタ３７とＸ側回収コンデンサ３４間に直列に接続された再利用スイッチ３１と回収スイッチ３２を含む。Ｙ側回収スイッチ回路４０は双方向性スイッチとして機能し、Ｙ側部分飽和インダクタ４７とＹ側回収コンデンサ４４間に並列に接続された再利用スイッチ４１と回収スイッチ４２を含む。
【００３１】
Ｘ側回収スイッチ回路３０における再利用スイッチ３１と回収スイッチ３２は、逆直列に接続されて双方向性スイッチを構成する。その双方向性スイッチはインダクタ３７を介してＸ側主スイッチ回路１０における高圧側スイッチ１１と低圧側スイッチ１２の接続点に接続される。Ｙ側回収スイッチ回路４０における再利用スイッチ４１と回収スイッチ４２は、逆直列に接続されて双方向性スイッチを構成する。この双方向性スイッチはインダクタ４７を介してＹ側主スイッチ回路２０における高圧側スイッチ２１と低圧側スイッチ２２の接続点に接続される。なお、双方向性スイッチを構成する再利用スイッチ３１、４１と、回収スイッチ３２、４２とはそれぞれ独立して制御され、これにより導通方向が制御される。
【００３２】
Ｘ側主スイッチ回路１０及びＹ側主スイッチ回路２０のいずれか一方が維持電極３をドライブし、他方が走査電極５をドライブする。すなわち、Ｘ側主スイッチ回路１０の高圧側スイッチ１１とＹ側主スイッチ回路２０の低圧側スイッチ２２の対と、Ｘ側主スイッチ回路１０の低圧側スイッチ１２とＹ側主スイッチ回路２０の高圧側スイッチ２１の対が交互にオンすることにより、維持電極３と走査電極５間に維持放電のための交流パルス電圧が印加される。
【００３３】
Ｘ側主スイッチ回路１０とＹ側主スイッチ回路２０が相補うように毎秒数百キロサイクルのスイッチング動作を繰返してプラズマディスプレイパネル負荷５０に電源６０を電力供給源とする交流パルス電圧を加え、放電維持発光を行う。
【００３４】
このとき容量性負荷であるプラズマディスプレイパネル負荷５０には無効電力が生じるため、無効電力回収手段としてＸ側回収スイッチ回路３０及びＹ側回収スイッチ回路４０が動作する。
【００３５】
図２に、本実施形態の駆動装置各部の電圧、電流波形を示す。同図において、電圧Ｖ１１、Ｖ１２、Ｖ２１、Ｖ２２、Ｖ３１、Ｖ３２、Ｖ４１、Ｖ４２は、それぞれスイッチ１１、スイッチ１２、スイッチ２１、スイッチ２２、スイッチ３１、スイッチ３２、スイッチ４１、スイッチ４２を駆動するための電圧である。
【００３６】
図２に示すように、Ｘ側回収スイッチ回路３０及びＹ側回収スイッチ回路４０は、Ｘ側主スイッチ回路１０及びＹ側主スイッチ回路２０のスイッチング動作に先んじてスイッチング動作を行う。これにより無効電力の回収、再利用を実現している。
【００３７】
最初に、コンデンサ３４、４４に蓄積された無効電力の再利用のための動作について説明する。Ｘ側主スイッチ回路１０の高圧側スイッチ１１とＹ側主スイッチ回路２０の低圧側スイッチ２２の対がオンする前後の駆動装置の動作を具体的に説明する。
【００３８】
図２（ａ）、（ｃ）を参照し、主スイッチ回路１０、２０における高圧側スイッチ１１及び低圧側スイッチ２２がオンされる直前において、Ｘ側回収スイッチ回路３０及びＹ側回収スイッチ回路４０がオンされる。これにより、Ｘ側回収コンデンサ３４からの電圧Ｖｓ／２が、プラズマディスプレイパネル負荷５０のＸ側駆動端子Ａに接続されるとともに、Ｙ側駆動端子ＢがＹ側回収コンデンサ４４に接続され、Ｘ側駆動端子Ａの電圧Ｖａが上昇する。やがてＸ側駆動端子Ａの電圧Ｖａが電源電圧Ｖｓに到達した時点で、主スイッチ回路１０、２０において高圧側スイッチ１１及び低圧側スイッチ２２がオンされる。
【００３９】
このとき、注意すべきは、本実施形態では、Ｘ側回収スイッチ回路３０及びＹ側回収スイッチ回路４０のそれぞれにおいて双方向性スイッチを構成する高圧側の再利用スイッチ３１、４１と、低圧側の回収スイッチ３２、４２をそれぞれ独立して制御している点である。すなわち、図２（ｃ）に示すように、Ｘ側回収スイッチ回路３０において、回収スイッチ３２と再利用スイッチ３１は同時にオンさせているが、回収スイッチ３２を再利用スイッチ３１よりも所定時間だけ早目にオフさせている。また、Ｙ側回収スイッチ回路４０においても回収スイッチ４２と再利用スイッチ４１は同時にオンさせているが、再利用スイッチ４１を回収スイッチ４２よりも所定時間だけ早目にオフさせている。このように、Ｘ側回収スイッチ回路３０においてスイッチ３２を早めにオフし、Ｙ側回収スイッチ回路４０においてスイッチ４１を早めにオフすることにより、パネル負荷５０からＸ側回収コンデンサ３４またはＹ側回収コンデンサ４４への電荷の逆流を防止している。なお、スイッチ３１及びスイッチ４２のみがオンしている期間は、スイッチ３１と寄生ダイオード３２ａ及びスイッチ４２と寄生ダイオード４１ａを介して、Ｘ側回収コンデンサ３４及びＹ側回収コンデンサ４４からプラズマディスプレイ負荷５０への電荷の移動が可能となる。
【００４０】
次に、無効電力の回収時の動作について説明する。プラズマディスプレイ負荷５０の無効電力の回収時においても、再利用時と同様に動作する。このとき、Ｘ側主スイッチ回路１０の低圧側スイッチ１２及びＹ側主スイッチ回路２０の高圧側スイッチ２１の組がオンされる直前において、Ｘ側回収スイッチ回路３０及びＹ側回収スイッチ回路４０がオンされる。但し、再利用動作時とは異なり、回収動作時においては、図２（ｂ）に示すように、Ｘ側回収スイッチ回路３０において高圧側のスイッチ３１を低圧側のスイッチ３２よりも早目にオフしている。また、Ｙ側回収スイッチ回路４０において低圧側のスイッチ４２を高圧側のスイッチ４１よりも早目にオフしている。このように、Ｘ側回収スイッチ回路３０においてスイッチ３１を早めにオフし、Ｙ側回収スイッチ回路４０においてスイッチ４２を早めにオフすることにより、Ｘ側回収コンデンサ３４またはＹ側回収コンデンサ４４からパネル負荷５０への電荷の逆流を防止している。なお、スイッチ３２及びスイッチ４１のみがオンしている期間は、スイッチ３２と寄生ダイオード３１ａ及びスイッチ４１と寄生ダイオード４２ａを介して無効電力の回収が可能となる。
【００４１】
このように、本実施形態の駆動装置によれば、双方向性スイッチを回収コンデンサ３４、４４とインダクタ３７、４７との間に直列に挿入したことにより、従来の回収スイッチ回路におけるダイオード３５、３６、４５、４６を、それぞれ回収スイッチに用いられるスイッチの寄生ダイオード３２ａ、３１ａ、４２ａ、４１ａに等価な働きをさせて削減できるので、回路が簡素化できる。結果として、信頼性の向上とコストの低減と実装の簡素化が実現できる。
【００４２】
また、双方向性スイッチを構成する高圧側スイッチと低圧側スイッチのオン・オフ動作をそれぞれ独立して制御することにより、回収動作、再利用動作において、双方向性スイッチの電流導通方向の精度よい制御が可能となり、還流電流の導通を防止でき、還流電流による導通損失を防止できる。
【００４３】
（実施の形態２）
双方向性スイッチ（Ｘ側回収回路３０、Ｙ側回収回路４０）の別の駆動方法について説明する。図３は、本実施形態における双方向性スイッチの駆動方法を実施した場合の、装置各部の電圧、電流波形を示した図である。
【００４４】
実施の形態１では、回収動作期間と再利用動作期間の間の期間では、基本的に、双方向性スイッチ（Ｘ側回収回路３０、Ｙ側回収回路４０）において直列接続された２つのスイッチはともにオフされていた。これに対し、本実施形態では、回収動作期間と再利用動作期間の間において、双方向性スイッチ（Ｘ側回収回路３０、Ｙ側回収回路４０）において直列接続された２つのスイッチがともにオフする期間はなく、いずれか一方のスイッチはオンさせるようにする。具体的には、回収動作期間（または再利用期間）の終了後、早くとも次の再利用動作期間（または回収動作期間）が開始するまでの間の期間において、回収回路３０、４０中の逆導通ダイオードが逆バイアスとなる一方のスイッチのみをオフし、他方のスイッチはオンしたままにする。これは、各回収回路３０、４０において、少なくとも逆導通ダイオードが逆バイアスとなる方のスイッチをオフしておけば、他方のスイッチがオンであっても、電流の導通を遮断できるからである。
【００４５】
例えば、図３に示すように、再利用動作期間直後の期間Ｐ１においては、逆導通ダイオードが逆バイアスとなる方のスイッチ３２及びスイッチ４１のみをオフし、他方のスイッチ３１、４２はオンしたままに制御する（図中ハッチング部参照）。また、回収動作期間直後の期間Ｐ２においては、逆導通ダイオードが逆バイアスとなる方のスイッチ３１、４２をオフし、他方のスイッチ３２、４１はオンのままに制御している（図中ハッチング部参照）。
【００４６】
以上のように、本実施形態の駆動方法によれば、回収動作と再利用動作の間の期間において、一方のスイッチをオンしたままに制御するので、スイッチング動作の回数が減り、スイッチング素子の駆動損失及びノイズを低減できるという効果がある。
【００４７】
なお、上記の各実施形態では、回収スイッチ回路のスイッチを電界効果トランジスタで記述したが、例えばＩＧＢＴ（絶縁ゲート型バイポーラトランジスタ）のようなバイポーラ型スイッチ素子で構成しても実現できる。その場合スイッチに逆並列にダイオードを付加する必要があり、回路部品点数は従来の装置と差がなくなるが、回収電流経路を電流方向別に２回路設けていたため回路が複雑化していた従来の装置に対し、回路が簡素化されるので、信頼性向上とコスト低減と実装の簡素化が実現できる。
【００４８】
さらに、回収スイッチ回路のスイッチを電界効果トランジスタのようなユニポーラ型スイッチ素子で構成してもよい。この場合、回収電流が流れるタイミングにあわせ従来ダイオードに相当する役割の能動スイッチをオンすることも可能であり、この方法によれば、回収電流が回収スイッチ回路を流れる時に発生する導通損失がより低減できる。
【００４９】
また、上記の各実施形態では、電力回収の対象をプラズマディスプレイパネル負荷の維持電極に生ずる無効電力としたが、本発明の回収回路は、プラズマディスプレイパネルにおいて他の電極、例えば画像書込みを行うためのアドレス電極についても同様に適用できることは言うまでもない。
【産業上の利用可能性】
【００５０】
本発明の駆動装置は、プラズマディスプレイパネルの駆動回路に適用でき、特に、プラズマディスプレイパネルの維持放電を行なう維持回路に適用でき、低ノイズで低消費電力なプラズマディスプレイ装置を実現できる。その他、本発明の駆動装置は、容量性負荷に対してパルス電圧を印加し、充放電させる回路に対して適用できる。
【図面の簡単な説明】
【００５１】
【図１Ａ】本発明の一実施形態におけるプラズマディスプレイパネル（ＰＤＰ）の駆動装置の要部の回路図
【図１Ｂ】プラズマディスプレイパネルのセルの断面図
【図２】本発明に係るプラズマディスプレイパネルの駆動装置における実施の形態１の駆動方法による各部の電圧、電流波形を示した図
【図３】本発明に係るプラズマディスプレイパネルの駆動装置における実施の形態２の駆動方法による各部の電圧、電流波形を示した図
【図４】従来のプラズマディスプレイパネルの駆動装置の要部の回路図
【符号の説明】
【００５２】
１０    Ｘ側主スイッチ回路
１１    Ｘ側主スイッチ回路の高圧側スイッチ
１２    Ｘ側主スイッチ回路の低圧側スイッチ
２０    Ｙ側主スイッチ回路
２１    Ｙ側主スイッチ回路の高圧側スイッチ
２２    Ｙ側主スイッチ回路の低圧側スイッチ
３０    Ｘ側回収スイッチ回路（双方向性スイッチ）
３１    Ｘ側回収スイッチ回路の再利用側スイッチ
３１ａ、３２ａ、４１ａ、４２ａ  寄生ダイオード
３２    Ｘ側回収スイッチ回路の回収側スイッチ
３４    Ｘ側回収コンデンサ
３７    Ｘ側回収インダクタ
４０    Ｙ側回収スイッチ回路（双方向性スイッチ）
４１    Ｙ側回収スイッチ回路の再利用側スイッチ
４２    Ｙ側回収スイッチ回路の回収側スイッチ
４４    Ｙ側回収コンデンサ
４７    Ｙ側回収インダクタ
５０    プラズマディスプレイパネル負荷
６０    電源
１１０  主スイッチ駆動部
１３０  回収スイッチ駆動部
【図１Ａ】
0004841824.tif 000002
【図１Ｂ】
0004841824.tif 000003
【図２】
0004841824.tif 000004
【図３】
0004841824.tif 000005
【図４】
0004841824.tif 000006